(57)【要約】【課題】従来のような廃棄物となるクッション材を使わなくても、同種のものが各段で重ねられ、各段毎に大小異形の物品が並列されても各段毎で均一高さとなして梱包でき、折り畳み式等のコンテナと組み合わせることで繰り返し使用できるようにする。【解決手段】複数の物品Ｐをシート状物を介して多段的に積み重ね、さらに梱包覆いシート状物で全体を包み込み可能とした梱包シート構成体１を備える。梱包シート構成体１は、矩形状の底部２の一方の対辺に延設した梱包覆い部７，８と、底部２の他方の対辺に延設した上段覆い部５，６と、梱包覆い部７，８の各連設部位若しくは上段覆い部５，６の各連設部位からそれぞれ付設した下段・中段覆い部３，４と、下段・中段覆い部３，４同士を固定する中段部固定手段１１と、上段覆い部５，６同士を固定する上段部固定手段１３と、梱包覆い部７，８同士を固定する梱包固定手段１４とを備える。【選択図】図１
2013032173.tif 000002
【特許請求の範囲】
【請求項１】
食器類の如き物品を保管、運搬するよう梱包する保管運搬用梱包装置であって、物品を下段・中段覆いシートを介して多段的に積み重ねて、梱包覆いシートで全体を包み込み可能とした梱包シート構成体を備えたことを特徴とする保管運搬用梱包装置。
【請求項２】
梱包シート構成体は、その展開形状において、矩形状の底部と、該底部の一方の対辺に延設された梱包覆い部と、該底部の他方の対辺に延設された上段覆い部と、梱包覆い部の各連設部位若しくは上段覆い部の各連設部位からそれぞれ付設された下段・中段覆い部と、下段・中段覆い部同士を固定する中段部固定手段と、上段覆い部同士を固定する上段部固定手段と、梱包覆い部同士を固定する梱包固定手段とを備え、底部に載置された下段位の物品を下段覆い部で覆い、下段覆い部の上に載置した中段位の物品を中段覆い部で覆って中段部固定手段で固定可能とし、中段覆い部の上に載置した上段位の物品を上段覆い部で包み込んで上段部固定手段で固定可能とし、さらに上段覆い部の上から梱包覆い部で包み込んで梱包固定手段で固定可能として成る請求項１記載の保管運搬用梱包装置。
【請求項３】
中段部固定手段は、中段覆い部を固定させるよう当該中段覆い部が付設された底部一端側に対向している底部他端側に延設された中段保持ベルトを備え、該中段保持ベルトは、中段覆い部に対して面ファスナによって接合可能として成る請求項２記載の保管運搬用梱包装置。
【請求項４】
上段部固定手段は、上段覆い部同士を重ね合わせて固定させるよう当該上段覆い部それぞれに付設された面ファスナによって接合可能として成る請求項２または３記載の保管運搬用梱包装置。
【請求項５】
梱包固定手段は、梱包覆い部同士を重ね合わせて固定させるよう当該梱包覆い部のいずれか一方に延設された梱包保持ベルトを備え、該梱包保持ベルトは、梱包覆い部のいずれか他方に対して面ファスナによって接合可能として成る請求項２乃至４のいずれか記載の保管運搬用梱包装置。
【請求項６】
底部，上段覆い部、梱包覆い部における少なくとも物品の側方部位にはクッション材を内包して成る請求項２乃至５のいずれか記載の保管運搬用梱包装置。
【請求項７】
底部、梱包覆い部、上段覆い部、下段・中段覆い部それぞれの物品に接触する面側には、滑り止め加工処理が施されている請求項２乃至６のいずれか記載の保管運搬用梱包装置。
【発明の詳細な説明】
【技術分野】
【０００１】
本発明は、例えば皿、茶碗、急須、コップその他の食器類等の破損し易い物品を折り畳み式のコンテナに梱包状態で纏めて収納できるようにし、例えば製造後の梱包、販売場所までの輸送、そこでの保管、商品棚等への移動・陳列等の一連の物流経路で使用されるもので、使用後では折り畳まれて回収され、繰り返し使用されるようにした、いわば循環型の保管運搬用梱包装置に関する。
【背景技術】
【０００２】
従来、皿、茶碗、急須、コップ等の食器類等の各種販売物品を輸送して販売店等に納品する場合には、折り畳み式のコンテナ等に収納する等して運搬される。すなわち、これらの販売物品は、例えば１個ずつ紙や発泡シート等のクッション材で包み込まれてから例えば段ボール箱内に収容され、隙間がある部分には更にクッション材が詰め込まれた後、当該段ボール箱をテープで閉止する等していた。
【０００３】
このような梱包に使用される段ボール箱類やクッション材は、使用後には廃棄物となるため、それが適切に廃棄されない場合には環境汚染の問題となる。そこで、例えば特許文献１に開示されているように、梱包体の一部である天板部を被梱包物としての食器類を載せる食卓用のトレーとして利用することのできる梱包体および梱包体セットがある。この特許文献１では、梱包体の内部に例えば段ボール材により形成されている凸状の緩衝材が配置され、この緩衝材により内部空間を仕切るようになっている。
【０００４】
また、例えば特許文献２に開示されているように、食器を包装する多大な時間および包装による一切のゴミを排除し、食器に何ら悪影響を与えず、さらに包装されている食器を一見して識別することが可能な被運搬物の梱包装置がある。すなわち、この梱包装置には、密封可能で且つ圧力変化により変形自在な袋状の透明な入れ物と、入れ物の中に介在させた基板とを有し、さらに入れ物の中を減圧する減圧手段が設けられている。この減圧手段による圧力変化でもって被運搬物の略全表面に入れ物の内面を密着させることにより、被運搬物を固定している。
【先行技術文献】
【特許文献】
【０００５】
【特許文献１】特開２００６−１６８７９７号公報
【特許文献２】特開平１０−３３８２７４号公報
【発明の概要】
【発明が解決しようとする課題】
【０００６】
しかしながら、上記した特許文献１では、内部空間を仕切るための緩衝材を使用する等の手間が掛かる複雑な構成となっており、しかもその分だけ収容スペースが狭小限定されてしまう。しかも、被運搬物の大小に応じて緩衝材の配置を予め設定しておかなければならず、使用する上でも非常に面倒である。
【０００７】
また、上記した特許文献２では、入れ物の中を減圧する減圧手段を設ける等の機器、設備等を必要とする構成となっており、そのために費用も嵩む。しかも、食器は透明な袋状の入れ物内の減圧のみで密着梱包されているため、外部からの衝撃等によってダメージを受け易く、しかも入れ物自体が破損した場合には、減圧低下によって密着性が失われるばかりでなく、入れ物内部におけるズレは食器を破損させる虞もある。
【０００８】
そこで、本発明は叙上のような従来存した諸事情に鑑み創出されたもので、従来のような廃棄物となる段ボール材、クッション材等を使わなくても、重ね合わせた多数の食器類を各段毎で同一高さとなるように並列配置して、各段毎に区分け収納することで多段的に纏めて梱包できるようにし、しかも折り畳み式等のコンテナと組み合わせることで繰り返し使用でき、さらには輸送による販売店への納品、一時的なストックヤードでの保管、使用後の例えば製造所等への回付という循環型でエコにもつながる梱包装置としても使用することができる保管運搬用梱包装置を提供することを目的とする。
【課題を解決するための手段】
【０００９】
上述した課題を解決するために、本発明にあっては、食器類の如き物品Ｐを保管、運搬するよう梱包するものであって、物品Ｐを下段・中段覆いシート（３，４）を介して多段的に積み重ねて、梱包覆いシート（５，６，７，８）で全体を包み込み可能とした梱包シート構成体１を備えたものとする。
梱包シート構成体１は、その展開形状において、矩形状の底部２と、該底部２の一方の対辺に延設された梱包覆い部７，８と、該底部２の他方の対辺に延設された上段覆い部５，６と、梱包覆い部７，８の各連設部位若しくは上段覆い部５，６の各連設部位からそれぞれ付設された下段・中段覆い部３，４と、下段・中段覆い部３，４同士を固定する中段部固定手段１１と、上段覆い部５，６同士を固定する上段部固定手段１３と、梱包覆い部７，８同士を固定する梱包固定手段１４とを備え、底部２に載置された下段位の物品Ｐを下段覆い部３で覆い、下段覆い部３の上に載置した中段位の物品Ｐを中段覆い部４で覆って中段部固定手段１１で固定可能とし、中段覆い部４の上に載置した上段位の物品Ｐを上段覆い部５，６で包み込んで上段部固定手段１３で固定可能とし、さらに上段覆い部５，６の上から梱包覆い部７，８で包み込んで梱包固定手段１４で固定可能として成る構成とすることができる。
中段部固定手段１１は、中段覆い部４を固定させるよう当該中段覆い部４が付設された底部２一端側に対向している底部２他端側に延設された中段保持ベルト１２を備え、該中段保持ベルト１２は、中段覆い部４上に面ファスナ１７，１８によって接合可能とすることができる。
上段部固定手段１３は、上段覆い部５，６同士を重ね合わせて固定させるよう当該上段覆い部５，６それぞれに付設された面ファスナ１９，２０によって接合可能とすることができる。
梱包固定手段１４は、梱包覆い部７，８同士を重ね合わせて固定させるよう当該梱包覆い部７，８のいずれか一方に延設された梱包保持ベルト１５を備え、該梱包保持ベルト１５は、梱包覆い部７，８のいずれか他方に対して面ファスナ２１，２２によって接合可能とすることができる。
底部２、上段覆い部５，６、梱包覆い部７，８における少なくとも物品Ｐの側方部位には、クッション材を内包して構成することができる。
底部２、梱包覆い部７，８、上段覆い部５，６、下段・中段覆い部３，４それぞれの物品Ｐに接触する面側には、滑り止め加工処理が施されているものとできる。
【００１０】
以上のように構成された本発明に係る保管運搬用梱包装置にあって、梱包シート構成体１の展開形状において底部２に、大小異形であっても複数の物品Ｐ、例えば食器等を略均一な高さに重ねて並列載置し、これらの物品Ｐを下段覆い部３で覆うことによって、底部２上に載置した下段位の物品Ｐを上方から押さえ、保持させる。
下段覆い部３の上にさらに大小異形であっても複数の物品Ｐを略均一な高さに重ねて並列載置して中段覆い部４で覆って、中段部固定手段１１による中段保持ベルト１２を中段覆い部４に面ファスナ１７，１８によって固定させる。こうすることで、底部２上の下段位の物品Ｐと、下段覆い部３上に載置して中断覆い部４にて覆った中段位の物品Ｐとを上方から押さえ、保持させる。
そして、中段覆い部４の上に複数の物品Ｐを載置して上段覆い部５，６で包み込んで、上段部固定手段１３たる面ファスナ１９，２０によって固定させることで、上段位の物品Ｐを上方から押さえ、下段位、中段位の物品Ｐ等と共に上下方向で段重ね状にして保持させる。
さらに上段覆い部５，６の上から梱包覆い部７，８で包み込み、梱包固定手段１４の梱包保持ベルト１５の面ファスナ２１，２２による固定は、全ての物品Ｐの最終梱包とさせ、底部２上に上、中、下段位それぞれの物品Ｐ全体を底部２の四囲から外部とはクッション性ある状態で囲み、物品Ｐを保護させる。
滑り止め加工処理は、底部２、梱包覆い部７，８、上段覆い部５，６、下段・中段覆い部３，４それぞれの物品Ｐに接触する面側での物品Ｐのズレを防止させる。
全体の梱包後は、例えば折り畳み式コンテナ容器内に収納し、これと共に運搬、保管、移動させ、また開梱して物品Ｐを取り出した後は折り畳まれることでコンパクトになり、、繰り返し使用させる。
【発明の効果】
【００１１】
本発明によれば、従来のような廃棄物となる段ボール材、クッション材等を使わなくても、同種の物品Ｐ、例えば食器類が重ねられ、これらが各段毎に大小異形であっても、並列されて各段毎に均一高さとなすことで梱包することができ、折り畳み式等のコンテナＱと組み合わせることで、例えば物品Ｐの製造後の梱包、その輸送、販売場所での保管、陳列等を一連に処理でき、使用後ではコンパクトに折り畳み、再度繰り返し使用でき、循環型でエコにもつながる梱包装置として使用することができる。
【００１２】
すなわち、これは本発明に係る保管運搬用梱包装置が、食器類の如き物品Ｐを保管、運搬するよう梱包するものであって、物品Ｐを下段・中段覆いシート（３，４）を介して多段的に積み重ねて、梱包覆いシート（５，６，７，８）で全体を包み込み可能とした梱包シート構成体１を備えたからであり、これにより、物品Ｐの梱包作業を容易に行えると共に、各段の物品Ｐは下段覆い部３、中段覆い部４、上段覆い部５，６によってしっかりと保持されるものとなる。しかも、折り畳み式等のコンテナＱと組み合わせることで、輸送時の物品Ｐの破損等を生じることなく、また保管、陳列時の開梱も円滑にし、しかも梱包シート構成体１の繰り返し使用も可能で経済的でもある。
【００１３】
梱包シート構成体１は、その展開形状において、矩形状の底部２と、該底部２の一方の対辺に延設された梱包覆い部７，８と、該底部２の他方の対辺に延設された上段覆い部５，６と、梱包覆い部７，８の各連設部位若しくは上段覆い部５，６の各連設部位からそれぞれ付設された下段・中段覆い部３，４と、下段・中段覆い部３，４同士を固定する中段部固定手段１１と、上段覆い部５，６同士を固定する上段部固定手段１３と、梱包覆い部７，８同士を固定する梱包固定手段１４とを備え、底部２に載置された下段位の物品Ｐを下段覆い部３で覆い、下段覆い部３の上に載置した中段位の物品Ｐを中段覆い部４で覆って中段部固定手段１１で固定可能とし、さらに中段覆い部４の上に載置した上段位の物品Ｐを上段覆い部５，６で包み込んで上段部固定手段１３で固定可能とし、さらに上段覆い部５，６の上から梱包覆い部７，８で包み込んで梱包部固定手段１３で固定可能としたので、底部２、下段・中段覆い部３，４、上段覆い部５，６、梱包覆い部７，８それぞれによって大小異形の物品Ｐであっても、各段毎に同一高さとなるように重ね合わせてそれらを並置させることで多段状に梱包することができ、例えば輸送による販売店への納品、一時的なストックヤードでの保管、さらには陳列時の開梱等に際しても、物品Ｐを破損させることなく、いわゆる上流から下流に至るまでの流通経路で一連にして使用できる。
【００１４】
中段部固定手段１１は、中段覆い部４を固定させるよう当該中段覆い部４が付設された底部２一端側に対向している底部２他端側に延設された中段保持ベルト１２を備え、該中段保持ベルト１２は、中段覆い部４上に面ファスナ１７，１８によって接合可能として成るので、下段覆い部３によって保持される下段位の物品Ｐ、下段覆い部３に載置されて中段覆い部４によって保持される中段位の物品Ｐそれぞれを中段保持ベルト１２でしっかりと固定することができる。
【００１５】
上段部固定手段１３は、上段覆い部５，６同士を重ね合わせて固定させるよう当該上段覆い部５，６それぞれに付設された面ファスナ１９，２０によって接合可能として成るので、上段覆い部５，６によって上段位の物品Ｐをしっかりと固定することができる。
【００１６】
梱包固定手段１４は、梱包覆い部７，８同士を重ね合わせて固定させるよう当該梱包覆い部７，８のいずれか一方に延設された梱包保持ベルト１５を備え、該梱包保持ベルト１５は、梱包覆い部７，８のいずれか他方に対して面ファスナ２１，２２によって接合可能として成るので、梱包覆い部７，８によって下段、中段、上段の各物品Ｐを梱包保持ベルト１５でしっかりと固定することができる。
【００１７】
底部２、梱包覆い部７，８、上段覆い部５，６、下段・中段覆い部３，４それぞれの物品Ｐに接触する面側には、滑り止め加工処理が施されているので、梱包シート構成体１によって各段位それぞれで梱包されている物品Ｐ間の相互のズレを未然に防止し、ひいては物品Ｐの破損等も生じさせない。
【００１８】
特に、本発明に係る保管運搬用梱包装置は、物流用具として使用され、例えば物品Ｐの梱包、その輸送、保管、さらに陳列場所での開梱による取り出し等の一連の物品Ｐの流通をコンパクトに纏めた状態で行なえるのである。例えば、食器等の製造所の段階で物品Ｐを梱包シート構成体１によって梱包し、折り畳み式のコンテナＱに収納した状態で輸送することで販売店舗に納品され、一時的にストックヤードに保管される。そして、商品としての物品Ｐが販売され、陳列棚が空いたときの商品補充時等ではそのまま移動され、開放される本発明梱包装置から物品Ｐが取り出されて陳列展示され、その後では、折り畳まれて、例えば製造所に回付されるという循環型物流用のものとして使用される。これにより、例えば食器等の割れやすい物品Ｐを循環型使用の梱包装置にて梱包することで物流費が節約でき、商品単価を低減化することにも役立つものとなる。
【００１９】
また、本発明に係る保管運搬用梱包装置は上述したような物流用品として使用されるばかりでなく、各種物品の多段的梱包による保管、さらには移転・引っ越し時における日用品その他の梱包器材としての使用も可能である。
【００２０】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２１】
【図１】本発明を実施するための一形態における一部切欠の展開状態の斜視図である。
【図２】使用例を説明するもので、展開した状態の底部に下段位の物品を載せた状態の斜視図である。
【図３】同じく下段位の物品を下段覆い部で覆った状態の斜視図である。
【図４】同じく下段覆い部の上に中段位の物品を載せて中段覆い部で覆ってから中段部固定手段で固定し、さらに上段位の物品を載置する状態の斜視図である。
【図５】同じく上段位の物品を上段覆い部で覆ってから上段部固定手段で固定した状態の斜視図である。
【図６】同じく梱包覆い部で覆い、梱包固定手段で固定した状態の斜視図である。
【図７】下段、中段、上段位それぞれで物品を梱包し、コンテナ内に収納した物品の最終梱包状態の断面図である。
【図８】折り畳み式のコンテナと共に折り畳まれた状態の斜視図である。
【発明を実施するための形態】
【００２２】
以下、図面を参照して本発明の実施の一形態を詳細に説明すると、図において示される符号１は、本発明に係る保管運搬用梱包装置を構成する物品梱包用の梱包シート構成体であり、主に例えば製造された物品をそのまま梱包し、輸送し、陳列のために開梱されるまでの一連の物流用具として使用される。すなわち、製造所の段階で例えば食器等の物品Ｐを梱包した梱包シート構成体１を折り畳み式のコンテナＱに収納し、輸送することで当該物品Ｐが販売店に納品される。そして、場合によっては一時的にストックヤードに置かれた後に、商品陳列棚に運ばれ、開梱した梱包シート体１から物品Ｐが取り出され、商品陳列棚に並べられた後、空になった梱包シート構成体１およびコンテナＱが折り畳まれて、再度、例えば製造所に回付されるという循環型の、繰り返し使用される物流用のものとして使用される。
【００２３】
尚、以下の説明においては、梱包シート構成体１により梱包される商品販売用の物品Ｐとして、例えば皿、茶碗等の食器類を例にして説明するが、本発明によった梱包使用に係る物品Ｐは食器に限定されるものではなく、その他、割れ易い陶器や置物類等、その他の販売商品でも良い。
【００２４】
梱包シート構成体１は、例えば上、中、下に区別して多段状に梱包したときの底側部、周側部、上側部等では外部からの衝撃その他から物品Ｐを保護するように、クッション材を内包している例えば合成樹脂製シート材等によって形成されている。これの展開された状態では、図１に示すように、大小異形であっても複数の物品Ｐを縦・横方向で並列載置できるよう、一辺長さが例えば約５０〜６０ｃｍ程度である矩形シート状の底部２における一方の対辺それぞれに矩形シート状の梱包覆い部７，８が対状となるようそれぞれ連設され、さらに底部２における他方の対辺それぞれに矩形シート状の上段覆い部５，６が対状となるようそれぞれ連設されて平面略十文字状となって形成されている。
【００２５】
また、底部２上に各段毎に載置された物品Ｐを最終的に上段覆い部５，６、梱包覆い部７，８によって周囲の四方向から、また下方、上方から覆うのであり、底部２では全域で、上段覆い部５，６ではそのいずれか一方は全域で、いずれか他方は少なくとも段状に重ねられて梱包される物品Ｐの側方位に配置されて側方を覆う部位域である側方部５ａで、梱包覆い部７，８では同様に物品Ｐの側方を覆う側方部７ａ，８ａ部分でクッション材９が内包されている。尚、これらの上段覆い部５，６、梱包覆い部７，８の側方部７ａ，８ａは、物品Ｐを梱包したときの最外面部位に存するものとなり、クッション材９自体は、内部梱包の物品Ｐに対する外部からの衝撃その他に対する緩衝作用が発揮できる素材が選定され、またその厚さが設定されている。こうすることで、段状に重ね合わせられた物品Ｐが梱包されたときには、上下面、周囲面の全域がクッション材９によって覆われることになり、外部からの衝撃その他が梱包された物品Ｐに付与されないようにして、物品Ｐを保護するようになっている。
【００２６】
また、底部２に連設された上段覆い部５，６の各連設部位にはそれぞれ下段覆い部３および中段覆い部４が、上段覆い部５，６上に重ね合わせられるように対向状に付設されている。これら下段覆い部３および中段覆い部４は、上段覆い部５，６それぞれの長さよりも若干長く形成されている。すなわち下段覆い部３は、底部２に置かれた下段位の物品Ｐを上方から覆って梱包するよう、下段位の物品Ｐの側面高さと当該物品Ｐの上面幅とを覆うに足りる長さ・幅を有し、中段覆い部４は、下段覆い部３上に置かれた中段位の物品Ｐを上方から覆って梱包するよう、下段位の物品Ｐ、中段位の物品Ｐの合計側面高さと、中段位の物品Ｐの上面幅とを覆うに足りる長さ・幅を有している。
【００２７】
さらに下段覆い部３の底部２側寄りには下段位の物品Ｐの積み重ね高さを制限するための目印となる、例えば色付き糸の縫い込み等による高さ設定ライン１６が表示されており、底部２上面に物品Ｐが積み重ね状に載せられる際に、下段覆い部３を垂直に立てた状態で物品Ｐの積み重ね高さをこの高さ設定ライン１６に至らないように以下にすることによって、底部２に並置された下段位の複数の物品Ｐ全体の過大な積み重ねを未然に防止でき、下段覆い部３で覆った際に、当該下段覆い部３上面を略水平とするのに役立つ。これにより、下段覆い部３上に並置される中段位の複数の物品Ｐも安定して載せられるものとできるようにする（図３参照）。
【００２８】
図２、図３に示すように、下段覆い部３が底部２側に折り返されて、中段覆い部４が中段位の物品Ｐを介在させて下段覆い部３の上に重ねられて相互間で固定されるものとなっている。すなわち、下段位および中段位の物品Ｐの梱包に際し、底部２上に載置された下段位の物品Ｐを下段覆い部３で覆い、下段覆い部３の上に中段位のさらに他の物品Ｐを載置して中段覆い部４で覆ってから中段部固定手段１１で固定されるものとなっている。この中段部固定手段１１は、下段覆い部３と前記一方の上段覆い部５との間において、底部２他端側から例えば３列状にした中段保持ベルト１２が下段覆い部３と上段覆い部５とに沿った方向に延設されている。この中段保持ベルト１２には面ファスナ１７が付設されており、中段覆い部４の折り返し上面に当該中段覆い部４に沿った方向に例えば３列状となって付設されている面ファスナ１８それぞれと、雌雄面相互によって接合可能としている。これによって、下段位および中段位の２段分の物品Ｐが中段部固定手段１１によって上方から同時に固定される（図４参照）。
【００２９】
また、図４に示すように、中段部固定手段１１によって固定された中段覆い部４上には、上段位の物品Ｐが、例えば同種の物品が重ねられた状態で、大小異形であっても縦・横方向で適当に並置されて、全体が同一高さとなるように載置されるようになっている。
【００３０】
そして、図５に示すように、他方の上段覆い部６が上段位の物品Ｐを覆うように底部２側に折り返されて、前記一方の上段覆い部５が他方の上段覆い部６の上に重ね合わせられた際には上段覆い部５，６同士は相互間で上段部固定手段１３によって固定されるものとなっている。この上段部固定手段１３は、上段覆い部５の折り返し下面の当該上段覆い部５の先端縁部に沿った方向に面ファスナ１９が付設され、該面ファスナ１９は、上段覆い部６の折り返し上面に当該上段覆い部６に沿った方向に例えば３列状となって付設されている面ファスナ２０それぞれに跨らせるように、雌雄面相互によって接合可能としてある。これによって、下段位および中段位および上段位の３段分の物品Ｐが上段部固定手段１３によって同時に固定される。
【００３１】
このように、下段位、中段位、上段位におけるそれぞれの物品Ｐが、いずれも底部２の一方の対辺相互間で対向状に設けられている下段覆い部３、中段覆い部４、さらには上段覆い部５，６によって多段的にそれぞれで固定保持されるものとされる。尚、他方の上段覆い部６上面３列の面ファスナ２０それぞれに、一方の上段覆い部５下面の１個の面ファスナー１９が跨がって接合することで、上段覆い部５，６相互の位置合わせ、接合後のズレ防止を図ることができる。
【００３２】
また、図５，図６に示すように、底部２の他方の対辺相互間で対向状に設けられている前記梱包覆い部７，８によって、下段覆い部３、中段覆い部４、上段覆い部５，６では覆われていない各段位の物品Ｐの側方を覆い、固定することで全体をしっかり梱包するようになっている。すなわち、図６に示すように、一方の梱包覆い部７が上段覆い部５に重ねられるように底部２側に折り返され、この一方の梱包覆い部７の上に他方の梱包覆い部８が重ねられるもので、重ねられた梱包覆い部７，８同士は梱包固定手段１４で固定されるものとなっている。この梱包固定手段１４は、一方の梱包覆い部７の端部側から当該梱包覆い部７に沿った方向に例えば３列状にした梱包保持ベルト１５が延設されていて、該梱包保持ベルト１５それぞれには面ファスナ２１が付設されており、他方の梱包覆い部８の折り返し上面に当該梱包覆い部８に沿った方向に例えば３列となって付設されている面ファスナ２２それぞれに雌雄面相互によって接合可能となっている。
【００３３】
底部２、梱包覆い部７，８、上段覆い部５，６、下段・中段覆い部３，４それぞれの物品Ｐに接触する面側には、滑り止め加工処理が施されている。このうち梱包覆い部７，８側の滑り止め加工処理の面積は、当該梱包覆い部７，８の各長さの約半分の領域である前記側方部７ａ，８ａをもって足りるものとなっている。これら滑り止め加工処理は、梱包シート構成体１により物品Ｐが梱包された際には、底部２と下段覆い部３との間に挟まれた空間内部での下段位の物品Ｐの滑りが防止され、さらに下段覆い部３と中段覆い部４との間に挟まれた空間内部での中段位の物品Ｐの滑りが防止される（図７参照）。また、下段位、中段位、上段位それぞれの物品Ｐにおいて、下段覆い部３、中段覆い部４および上段覆い部５，６相互によっては覆われない物品Ｐの側方面部分を梱包覆い部７，８の側方部７ａ，８ａがその滑り止め処理面にて覆うものとなして、物品Ｐの滑りを一層防止している。
【００３４】
また、梱包覆い部７の滑り止め加工処理部分と先端縁との間には梱包保持ベルト１５に対して直角方向に沿って配される１列の面ファスナ２３が付設されており、梱包覆い部８の折り返し上面に付設されている前記した３列の面ファスナ２２それぞれに跨って同時に雌雄面相互によって接合されるものとしてある。これにより、梱包覆い部７，８相互間の接合を確実、安定したものとし、各段位の物品Ｐの保持、梱包を一層確実にする。
【００３５】
次に、以上のように構成された形態についての使用の一例について説明すると、先ず、図２に示すように、上記した梱包シート構成体１を展開形状にしておいて、例えば食器等である場合、それらの大小、形状が異なる物品Ｐであっても、同種の物品Ｐを重ねておき、これらを底部２上に縦横方向で適当数にして並列載置する。このとき、下段覆い部３を垂直に立てた状態で高さ設定ライン１６以下となるように物品Ｐの積み重ね高さ枚数を予め調整しておく。これにより、下段位となる積み重ね状の物品Ｐが縦横方向で均等な高さとなるように底部２上に配置する。
【００３６】
図３に示すように、底部２の一方の対辺側で設けた下段覆い部３を底部２側に折り返し、底部２上の下段位の物品Ｐを当該下段覆い部３で覆う。そして、下段覆い部３の上にさらに中段位となる物品Ｐを同様に高さ調整して積み重ねて、これらを縦横方向に並列載置する。
【００３７】
図４に示すように、同じく中段覆い部４を底部２側に折り返し、下段覆い部３上の中段位の物品Ｐを当該中段覆い部４で覆ってから、中段部固定手段１１である中段保持ベルト１２の面ファスナ１７を中段覆い部４上面の面ファスナ１８に接合して固定させる。そして、中段覆い部４の上に上段位となる物品Ｐを同様に高さが略合うようにそれぞれ積み重ねて、これらを縦横方向に並列載置する。
【００３８】
図５に示すように、さらに同じく上段覆い部５，６それぞれを底部２側に折り返して、上段覆い部５，６相互間を上段部固定手段１３である一方の上段覆い部５の面ファスナ１９を他方の上段覆い部６の面ファスナ２０に接合してしっかりと固定させる。
【００３９】
図６に示すように、底部２の他方の対辺側で対向して設けた一方の梱包覆い部７を底部２側に折り返し、次に他方の梱包覆い部８を底部２側に折り返して、梱包固定手段１４である梱包保持ベルト１５の面ファスナ２１を梱包覆い部８の面ファスナ２２に接合してしっかりと固定させることで、全ての物品Ｐの最終梱包状態となる。
【００４０】
こうして梱包シート構成体１により物品Ｐが梱包された際には、図７に示すように、底部２と下段覆い部３との間に挟まれた空間内部に積み重ね状となった下段位の複数の物品Ｐが滑りが防止された状態で保持され、さらに下段覆い部３と中段覆い部４との間に挟まれた空間内部に積み重ね状となった中段位の複数の物品Ｐが滑りが防止された状態で保持され、またさらに中段覆い部４と相互に重ね合わせた上段覆い部５，６との間に挟まれた空間内部に積み重ね状となった上段位の複数の物品Ｐが滑りが防止された状態で保持される。
【００４１】
そして、下段、中段、上段のそれぞれの物品Ｐが梱包された後の梱包シート構成体１を、例えば折り畳み式等のコンテナＱに収納することで保持され、この状態で輸送・運搬される。例えば輸送先の販売店舗等で物品Ｐを商品陳列棚等に陳列する際には、商品陳列棚位置までコンテナＱごと運び込み、コンテナＱ内から物品Ｐを梱包している梱包シート構成体１を取り出し、図５に示すように、梱包保持ベルト１５の面ファスナ２２から一方の梱包覆い部７の面ファスナ２１を取り外して梱包覆い部７，８を開放する。次いで図４に示すように、面ファスナ１９，２０相互を剥がし、上段覆い部５，６を開放し、中段覆い部４上にある上段位の物品Ｐを取り出す。また、図３に示すように、面ファスナ１７，１８相互を剥がし、中段覆い部４を開放し、下段覆い部３上にある中段位の物品Ｐを取り出す。最後に、図２に示すように、下段覆い部３を開放し、底部２上にある下段位の物品Ｐを取り出す。
【００４２】
全ての物品Ｐを取り出したら、図８に示すように梱包シート構成体１を、下段・中段覆い部３，４、上段覆い部５，６、梱包覆い部７，８の順に折り畳んで、コンパクトにし、コンテナＱと共に例えば所定の発送元もしくは製造元に返還する。これによって、梱包シート構成体１の繰り返し利用が可能となり、エコにもつながるものとなる。
【符号の説明】
【００４３】
Ｐ…物品                                Ｑ…コンテナ
１…梱包シート構成体                    ２…底部
３…下段覆い部                          ４…中段覆い部
５，６…上段覆い部                      ７，８…梱包覆い部
５ａ，７ａ，８ａ…側方部                ９…クッション材
１１…中段部固定手段                    １２…中段保持ベルト
１３…上段部固定手段                    １４…梱包固定手段
１５…梱包保持ベルト                    １６…高さ設定ライン
１７，１８、１９，２０，２１，２２，２３…面ファスナ
【図１】
2013032173.tif 000003
【図２】
2013032173.tif 000004
【図３】
2013032173.tif 000005
【図４】
2013032173.tif 000006
【図５】
2013032173.tif 000007
【図６】
2013032173.tif 000008
【図７】
2013032173.tif 000009
【図８】
2013032173.tif 000010